(57)【要約】【課題】電子ペーパにユーザ任意のコンテンツを表示させ、その表示データを電子ペーパと電子下敷との組合せに対応付けてサーバに登録し簡単に再表示させる。【解決手段】電子下敷１２Ｂにおいて、電子ペーパ１１Ｂの装着が検出され、当該電子ペーパ１１Ｂにコンテンツを表示させた状態で、本電子下敷１２Ｂの下敷ＩＤと電子ペーパ１１ＢのペーパＩＤと表示中のコンテンツ表示データとを対応付けてクラウドシステム上の電子ペーパ管理サーバ５３へ送信して登録させる。そして、新たに電子ペーパ１１Ｂの装着が検出された際に、本電子下敷１２Ｂの下敷ＩＤと電子ペーパ１１ＢのペーパＩＤとの組み合わせが前記電子ペーパ管理サーバ５３に登録されている場合には、当該電子下敷ＩＤと電子ペーパＩＤとの組み合わせに対応付けられて登録されているコンテンツ表示データが同管理サーバ５３から受信され電子ペーパ１１Ｂに再表示される。【選択図】      図７
2014035630.tif 000002
【特許請求の範囲】
【請求項１】
電子ペーパが着脱自在に装着される電子下敷装置であって、
電子ペーパが装着されたことを検出するペーパ検出手段と、
このペーパ検出手段により検出されている電子ペーパに任意のコンテンツの表示データが表示されている状態で、本電子下敷装置の下敷ＩＤと電子ペーパのペーパＩＤと当該コンテンツ表示データとを対応付けて外部接続されるサーバ装置へ送信して登録させる表示データ登録手段と、
前記ペーパ検出手段により電子ペーパが新たに装着されたことが検出された際に、本電子下敷装置の下敷ＩＤと当該電子ペーパのペーパＩＤとに対応付けられたコンテンツ表示データが前記サーバ装置に登録されているか否かを判断するデータ登録判断手段と、
このデータ登録判断手段により本電子下敷装置の下敷ＩＤと前記装着された電子ペーパのペーパＩＤとに対応付けられたコンテンツ表示データが前記サーバ装置に登録されていると判断された場合に、当該サーバ装置から送信されたコンテンツ表示データを受信する登録データ受信手段と、
この登録データ受信手段により受信されたコンテンツ表示データを前記新たに装着された電子ペーパに表示させる登録データ表示制御手段と、
を備えたことを特徴とする電子下敷装置。
【請求項２】
前記表示データ登録手段により本電子下敷装置の下敷ＩＤと電子ペーパのペーパＩＤとコンテンツ表示データとを対応付けて外部接続されるサーバ装置へ送信して登録させるのに伴い、当該電子ペーパのペーパＩＤを記憶するペーパＩＤ記憶手段を備え、
前記データ登録判断手段は、前記ペーパ検出手段により電子ペーパが新たに装着されたことが検出された際に、前記ペーパＩＤ記憶手段により前記電子ペーパのペーパＩＤが記憶されているか否かを判断して、本電子下敷装置の下敷ＩＤと当該電子ペーパのペーパＩＤとに対応付けられたコンテンツ表示データが前記サーバ装置に登録されているか否かを判断し、
前記表示データ登録手段は、前記ペーパＩＤ記憶手段により前記新たに装着された電子ペーパのペーパＩＤが記憶されていないと判断された場合に、本電子下敷装置の下敷ＩＤと前記電子ペーパのペーパＩＤと当該電子ペーパに表示中のコンテンツ表示データとを対応付けて外部接続されるサーバ装置へ送信して登録させ、
前記登録データ受信手段は、前記ペーパＩＤ記憶手段により前記新たに装着された電子ペーパのペーパＩＤが記憶されていると判断された場合に、本電子下敷の下敷ＩＤと当該電子ペーパのペーパＩＤとを対応付けて外部接続されるサーバ装置へ送信するＩＤ送信手段を有し、このＩＤ送信手段による下敷ＩＤとペーパＩＤとを対応付けたサーバ装置への送信に応答して、当該サーバ装置から送信されたコンテンツ表示データを受信する、
ことを特徴とする請求項１に記載の電子下敷装置。
【請求項３】
外部装置から任意のコンテンツの表示データを取得する表示データ取得手段と、
この表示データ取得手段により取得された任意のコンテンツの表示データを前記装着された電子ペーパに表示させる任意データ表示制御手段と、
を備えたことを特徴とする請求項１または請求項２に記載の電子下敷装置。
【請求項４】
前記外部装置は、ネットワークを介して各種のコンテンツを受信可能な通信端末装置であって、
前記表示データ取得手段は、前記通信端末装置によりネットワークを介して受信した任意のコンテンツの表示データを当該通信端末装置との通信接続により取得する、
ことを特徴とする請求項３に記載の電子下敷装置。
【請求項５】
前記外部装置は、ネットワーク上に存在するコンテンツサーバ装置であって、
前記表示データ取得手段は、前記ネットワーク上のコンテンツサーバ装置との直接の通信接続により任意のコンテンツの表示データを取得する、
ことを特徴とする請求項３に記載の電子下敷装置。
【請求項６】
前記ペーパ検出手段により検出された電子ペーパにコンテンツの表示がされているか否かを判断するペーパ表示判断手段を備え、
前記データ登録判断手段は、前記ペーパ検出手段により電子ペーパが新たに装着されたことが検出された際、前記ペーパ表示判断手段により当該電子ペーパにコンテンツの表示がされていないと判断された場合に、本電子下敷装置の下敷ＩＤと当該電子ペーパのペーパＩＤとに対応付けられたコンテンツ表示データが前記サーバ装置に登録されているか否かを判断する、
ことを特徴とする請求項１に記載の電子下敷装置。
【請求項７】
前記表示データ登録手段は、前記ペーパ検出手段により検出されている電子ペーパに異なるコンテンツの表示データが表示される毎に、本電子下敷装置の下敷ＩＤと電子ペーパのペーパＩＤと当該コンテンツ表示データとを対応付けて外部接続されるサーバ装置へ送信して登録させ、
前記登録データ表示制御手段は、前記登録データ受信手段により複数のコンテンツ表示データが受信された場合に、ユーザ操作に応じて選択されたコンテンツ表示データを前記新たに装着された電子ペーパに表示させる、
ことを特徴とする請求項１に記載の電子下敷装置。
【請求項８】
前記ペーパ検出手段により検出されている電子ペーパ上でのユーザ操作に応じた操作位置を検出する操作位置検出手段と、
この操作位置検出手段により検出されたユーザ操作位置に応じたデータを追記データとして前記電子ペーパの該当する位置に重畳して表示させる追記重畳表示制御手段と、
を備えたことを特徴とする請求項１に記載の電子下敷装置。
【請求項９】
前記追記重畳表示制御手段により前記電子ペーパに重畳して表示された追記データを当該電子ペーパのペーパＩＤと対応付けて記憶する追記データ記憶手段と、
前記登録データ表示制御手段により前記登録データ受信手段により受信されたコンテンツ表示データが前記新たに装着された電子ペーパに表示された際に、前記追記データ記憶手段により当該電子ペーパのペーパＩＤに対応付けられた追記データが記憶されているか否かを判断する追記有無判断手段と、
この追記有無判断手段により前記電子ペーパのペーパＩＤに対応付けられた追記データが記憶されていると判断された場合に、当該追記データを読み出し前記コンテンツ表示データが表示された電子ペーパに重畳して再表示させる追記重畳再表示制御手段と、
を備えたことを特徴とする請求項８に記載の電子下敷装置。
【請求項１０】
前記追記データ記憶手段は、前記追記重畳表示制御手段により前記電子ペーパに重畳して表示された追記データを当該電子ペーパに表示されているコンテンツ表示データのコンテンツＩＤとペーパＩＤとに対応付けて記憶し、
前記追記有無判断手段は、前記登録データ表示制御手段により前記登録データ受信手段により受信されたコンテンツ表示データが前記新たに装着された電子ペーパに表示された際に、前記追記データ記憶手段により当該電子ペーパに表示されたコンテンツ表示データのコンテンツＩＤとペーパＩＤとに対応付けられた追記データが記憶されているか否かを判断し、
前記追記重畳再表示制御手段は、前記追記有無判断手段により前記電子ペーパに表示されたコンテンツ表示データのコンテンツＩＤとペーパＩＤとに対応付けられた追記データが記憶されていると判断された場合に、当該追記データを読み出しそのコンテンツＩＤに対応したコンテンツ表示データが表示されている電子ペーパに重畳して再表示させる、
ことを特徴とする請求項９に記載の電子下敷装置。
【請求項１１】
ユーザ操作に応じてユーザＩＤを入力するユーザＩＤ入力手段を備え、
前記表示データ登録手段は、前記ペーパ検出手段により検出されている電子ペーパに任意のコンテンツの表示データが表示されている状態で、前記ユーザＩＤ入力手段により入力されたユーザＩＤと本電子下敷装置の下敷ＩＤと電子ペーパのペーパＩＤと当該コンテンツ表示データとを対応付けて外部接続されるサーバ装置へ送信して登録させ、
前記データ登録判断手段は、前記ペーパ検出手段により電子ペーパが新たに装着されたことが検出された際に、前記ユーザＩＤ入力手段により入力されたユーザＩＤと本電子下敷装置の下敷ＩＤと当該電子ペーパのペーパＩＤとに対応付けられたコンテンツ表示データが前記サーバ装置に登録されているか否かを判断し、
前記登録データ受信手段は、前記データ登録判断手段により前記ユーザＩＤと本電子下敷装置の下敷ＩＤと前記装着された電子ペーパのペーパＩＤとに対応付けられたコンテンツ表示データが前記サーバ装置に登録されていると判断された場合に、当該サーバ装置から送信されたコンテンツ表示データを受信する、
ことを特徴とする請求項１に記載の電子下敷装置。
【請求項１２】
電子下敷装置に着脱自在に装着される電子ペーパの表示情報を管理するデータ管理装置であって、
前記電子下敷装置の下敷ＩＤと前記電子ペーパのペーパＩＤと当該電子ペーパに表示されたコンテンツ表示データとを対応付けて登録する表示情報登録手段と、
前記電子下敷装置から送信された当該電子下敷装置の下敷ＩＤと電子ペーパのペーパＩＤとを受信するデータ受信手段と、
このデータ受信手段により受信された電子下敷装置の下敷ＩＤと電子ペーパのペーパＩＤとの組み合わせが前記表示情報登録手段に登録されていない場合には、当該下敷ＩＤとペーパＩＤとの組み合わせに対応付けて前記電子下敷装置から共に受信されたコンテンツ表示データを前記表示情報登録手段に新規登録する新規登録手段と、
前記データ受信手段により受信された電子下敷装置の下敷ＩＤと電子ペーパのペーパＩＤとの組み合わせが前記表示情報登録手段に登録されている場合であって、当該下敷ＩＤとペーパＩＤとの組み合わせに対応付けられて登録済みのコンテンツ表示データが前記電子下敷装置から共に受信されたコンテンツ表示データと異なる場合には、当該登録済みのコンテンツ表示データを前記受信されたコンテンツ表示データに更新して登録する更新登録手段と、
前記データ受信手段により受信された電子下敷装置の下敷ＩＤと電子ペーパのペーパＩＤとの組み合わせが前記表示情報登録手段に登録されている場合であって、当該下敷ＩＤとペーパＩＤとに対応付けたコンテンツ表示データが受信されない場合には、当該下敷ＩＤとペーパＩＤとに対応付けられて登録されているコンテンツ表示データを読み出し前記電子下敷装置に装着された電子ペーパに再表示させるデータとして送信するデータ送信手段と、
を備えたことを特徴とするデータ管理装置。
【発明の詳細な説明】
【技術分野】
【０００１】
本発明は、紙状の不揮発性表示装置を用いた電子ペーパに所望の情報を記録・表示させるための電子下敷装置およびデータ管理装置に関する。
【背景技術】
【０００２】
近年、電子ペーパと称される紙状の不揮発性表示装置が開発されている。この電子ペーパは、無電源状態で画像を表示保持する表示面を有し、紙には及ばずながらも薄く、柔軟性のあるもので、電源を供給することで画像の書き込み／消去が可能になり、テキストや画像など、様々なコンテンツを表示保持させることができる（例えば、特許文献１〜３参照。）。
【０００３】
出願人は、電子ペーパを下敷に載せて手書き記入することで電子ペーパ上に手書き内容を表示できるようにした電子ペーパ記録装置の特許出願を行った（例えば、特許文献４参照。）。
【０００４】
この電子ペーパ記録装置では、下敷とペーパとの組合せをシンクライアントとしたサーバクライアントシステムにおいて、サーバには、当該下敷とペーパとの組合せに対応したデフォルトの初期画面データが予め生成されて記憶されており（仮想ペーパクライアント）、下敷にペーパを載せることでその組合せに対応する初期画面データを読み出して表示できる。そして、ペーパの初期画面データ上で手書き記入を行った場合には、上記初期画面データ上に手書き軌跡を追記して記憶できるようにしている。
【先行技術文献】
【特許文献】
【０００５】
【特許文献１】特開２００６−０３９８３４号公報
【特許文献２】特開２００１−３１２２２７号公報
【特許文献３】特開２００３−０５８０８１号公報
【特許文献４】特開２００７−３２３３６５号公報
【発明の概要】
【発明が解決しようとする課題】
【０００６】
しかしながら、前記従来の電子ペーパ記録装置では、下敷とペーパとの組合せに対応したデフォルトの初期画面データがサーバ側で予め生成されて記憶されていることが前提であり、サーバ側で更新記憶できるのは、上記初期画面データに追記された手書きデータのみとなるため、その初期画面データをユーザ側にて任意に登録することはできない。
【０００７】
本発明は、このような課題に鑑みてなされたもので、電子ペーパにユーザ任意のコンテンツを表示させ、その表示データを電子ペーパと電子下敷との組合せに対応付けてサーバに登録し簡単に再表示させることが可能になる電子下敷装置およびデータ管理装置を提供することを目的とする。
【課題を解決するための手段】
【０００８】
本発明に係る電子下敷装置は、電子ペーパが着脱自在に装着される電子下敷装置であって、電子ペーパが装着されたことを検出するペーパ検出手段と、このペーパ検出手段により検出されている電子ペーパに任意のコンテンツの表示データが表示されている状態で、本電子下敷装置の下敷ＩＤと電子ペーパのペーパＩＤと当該コンテンツ表示データとを対応付けて外部接続されるサーバ装置へ送信して登録させる表示データ登録手段と、前記ペーパ検出手段により電子ペーパが新たに装着されたことが検出された際に、本電子下敷装置の下敷ＩＤと当該電子ペーパのペーパＩＤとに対応付けられたコンテンツ表示データが前記サーバ装置に登録されているか否かを判断するデータ登録判断手段と、このデータ登録判断手段により本電子下敷装置の下敷ＩＤと前記装着された電子ペーパのペーパＩＤとに対応付けられたコンテンツ表示データが前記サーバ装置に登録されていると判断された場合に、当該サーバ装置から送信されたコンテンツ表示データを受信する登録データ受信手段と、この登録データ受信手段により受信されたコンテンツ表示データを前記新たに装着された電子ペーパに表示させる登録データ表示制御手段と、を備えたことを特徴としている。
【０００９】
本発明に係るデータ管理装置は、電子下敷装置に着脱自在に装着される電子ペーパの表示情報を管理するデータ管理装置であって、前記電子下敷装置の下敷ＩＤと前記電子ペーパのペーパＩＤと当該電子ペーパに表示されたコンテンツ表示データとを対応付けて登録する表示情報登録手段と、前記電子下敷装置から送信された当該電子下敷装置の下敷ＩＤと電子ペーパのペーパＩＤとを受信するデータ受信手段と、このデータ受信手段により受信された電子下敷装置の下敷ＩＤと電子ペーパのペーパＩＤとの組み合わせが前記表示情報登録手段に登録されていない場合には、当該下敷ＩＤとペーパＩＤとの組み合わせに対応付けて前記電子下敷装置から共に受信されたコンテンツ表示データを前記表示情報登録手段に新規登録する新規登録手段と、前記データ受信手段により受信された電子下敷装置の下敷ＩＤと電子ペーパのペーパＩＤとの組み合わせが前記表示情報登録手段に登録されている場合であって、当該下敷ＩＤとペーパＩＤとの組み合わせに対応付けられて登録済みのコンテンツ表示データが前記電子下敷装置から共に受信されたコンテンツ表示データと異なる場合には、当該登録済みのコンテンツ表示データを前記受信されたコンテンツ表示データに更新して登録する更新登録手段と、前記データ受信手段により受信された電子下敷装置の下敷ＩＤと電子ペーパのペーパＩＤとの組み合わせが前記表示情報登録手段に登録されている場合であって、当該下敷ＩＤとペーパＩＤとに対応付けたコンテンツ表示データが受信されない場合には、当該下敷ＩＤとペーパＩＤとに対応付けられて登録されているコンテンツ表示データを読み出し前記電子下敷装置に装着された電子ペーパに再表示させるデータとして送信するデータ送信手段と、を備えたことを特徴としている。
【発明の効果】
【００１０】
本発明によれば、電子ペーパにユーザ任意のコンテンツを表示させ、その表示データを電子ペーパと電子下敷との組合せに対応付けてサーバに登録し簡単に再表示させることが可能になる。
【図面の簡単な説明】
【００１１】
【図１】本発明の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図。
【図２】本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図。
【図３】前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図。
【図４】前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図。
【図５】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図。
【図６】前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図。
【図７】前記電子ペーパ記録装置１０Ａ，１０ＢをネットワークＮ上のクラウドコンピューティングシステムの端末として組み込んだ場合の電子回路の構成を示すブロック図。
【図８】前記電子ペーパ記録装置１０Ａ，１０Ｂの電子下敷１２Ｂ（１２Ａ）の情報記憶装置３０にて記憶管理される電子ペーパ管理テーブル（下敷）５４の内容を示す図。
【図９】前記電子ペーパ記録装置１０Ｂを端末としネットワーク（インターネット）Ｎ上の電子ペーパ管理サーバ５３にウェブアクセスベースで接続して使用する場合の構成例を示すブロック図。
【図１０】前記電子ペーパ管理サーバ５３の電子ペーパ管理部５８ｂにて記憶管理される電子ペーパ管理テーブル（サーバ）６２の内容を示す図。
【図１１】前記電子ペーパ記録装置１０Ａ，１０Ｂを端末として組み込んだクラウドコンピューティングシステムにおける電子下敷１２Ａ，１２Ｂでの処理（その１）を示すフローチャート。
【図１２】前記電子ペーパ記録装置１０Ａ，１０Ｂを端末として組み込んだクラウドコンピューティングシステムにおける電子下敷１２Ａ，１２Ｂでの処理（その２）を示すフローチャート。
【図１３】前記電子ペーパ記録装置１０Ａ，１０Ｂを端末として組み込んだクラウドコンピューティングシステムにおける電子ペーパ管理サーバ５３での処理を示すフローチャート。
【図１４】前記電子ペーパ管理サーバ５３により管理される電子ペーパ記録装置１０Ａ，１０Ｂの具体的な使用形態を説明する図。
【発明を実施するための形態】
【００１２】
以下図面により本発明の実施の形態について説明する。
【００１３】
図１は、本発明の実施形態に係る電子ペーパ記録装置（片面タイプ）１０Ａの構成を示す図であり、同図（Ａ）は外観構成を示す斜視図、同図（Ｂ）は１枚の電子ペーパ（片面タイプ）１１Ａを抜き出して示す正面図である。
【００１４】
この電子ペーパ記録装置（片面タイプ）１０Ａは、その表面に不揮発性表示装置１７を有する複数枚の電子ペーパ（片面タイプ）１１Ａ…と、この複数枚の電子ペーパ１１Ａ…を重ねて載置する電子下敷（片面タイプ）１２Ａとを備え、各電子ペーパ１１Ａ…は電子下敷１２Ａの左側中央に設けられた片面バインダ部１３にその左辺中央を挟み込ませて綴じられる。
【００１５】
電子下敷１２Ａは、その表面における電子ペーパ１１Ａ…の載置面に対応させて例えば電磁誘導方式によるタブレット１４を備え、このタブレット１４によって電子ペン１５による最上部の電子ペーパ１１Ａ上での手書き位置に対応する座標位置を検出する。そして、バインダ部１３を利用して設けられた後述の非接触型の電源供給手段及び通信手段（図３〜図６参照）を介して電子ペーパ１１Ａに内蔵された表示用の記憶装置に対し前記手書き位置の検出座標に対応した表示データ、あるいは外部の情報提供装置から取得された各種コンテンツの表示データを記憶させ、電子ペーパ１１Ａの不揮発性表示装置１７を表示動作させる。
【００１６】
電子ペーパ１１Ａの不揮発性表示装置１７は、例えば透明の電極板間に＋に帯電した黒色粒子と−に帯電した白色粒子とを交互にマトリクス状に仕切って封入し、一方の電極板を−（マイナス）に帯電させることで黒色表示となり、＋（プラス）に帯電させることで白色表示となるもので、当該電極板は電圧の印加によってその最後に印加した電圧の極性に帯電し、無電源状態での表示が保持される。
【００１７】
これにより、電子下敷１２Ａおよびそのバインダ部１３を介して外部から入力された表示データを電子ペーパ１１Ａにて表示できるだけでなく、前記電子ペン１５によって直接的に書き込んだ手書きデータをも表示させることができ、しかもその電子ペーパ１１Ａを、図１（Ｂ）に矢印ａで示すように、電子下敷１２Ａから取り外すことで、通常の紙と同じように取り扱うことができる。
【００１８】
図２は、本発明の実施形態に係る電子ペーパ記録装置（両面タイプ）１０Ｂの構成を示す図であり、同図（Ａ）は外観構成を示す斜視図、同図（Ｂ）は１枚の電子ペーパ（両面タイプ）１１Ｂを抜き出し裏面にして示す正面図である。
【００１９】
この電子ペーパ記録装置（両面タイプ）１０Ｂで使用する複数枚の電子ペーパ（両面タイプ）１１Ｂ…は、その表面と裏面との両面にそれぞれ前述の不揮発性表示装置１７Ｒ，１７Ｌを有し、見開き型電子下敷１２Ｂの中央に設けられた見開きバインダ部１６によってそれぞれその一端部が貫通されて綴じられる。
【００２０】
見開き型電子下敷１２Ｂは、その左右の各見開き面における電子ペーパ１１Ｂ…の載置面にそれぞれ例えば電磁誘導方式によるタブレット１４Ｒ，１４Ｌを備え、このタブレット１４Ｒ，１４Ｌの各々によって電子ペン１５による右側最上部の電子ペーパ１１Ｂの表面上と左側最上部の電子ペーパ１１Ｂの裏面上での手書き位置に対応する座標位置を検出する。そして、見開きバインダ部１６に対応して設けられた後述の非接触型の電源供給手段及び通信手段（図３〜図６参照）を介して電子ペーパ１１Ｂに内蔵された表示用の記憶装置に対し前記表面と裏面の各手書き位置の検出座標に対応した表示データ、あるいは外部の情報提供装置から取得された各種コンテンツの表示データを記憶させ、電子ペーパ１１Ｂをその両面の不揮発性表示装置１７Ｒ，１７Ｌで表示動作させる。
【００２１】
これにより、電子下敷１２Ｂおよびその見開きバインダ部１６を介して外部から入力された表示データを電子ペーパ（両面タイプ）１１Ｂの表裏面にて表示できるだけでなく、前記電子ペン１５によって直接的に書き込んだ手書きデータをも同表裏面に表示させることができ、しかもその電子ペーパ１１Ｂを、図２（Ｂ）に矢印ｃで示すように、電子下敷１２Ｂから取り外すことで、通常の表と裏のある紙と同じように取り扱うことができる。
【００２２】
図３は、前記電子ペーパ記録装置１０Ａ，１０Ｂにおける電子ペーパ１１Ａ，１１Ｂの構成を示す図であり、同図（Ａ）は電子ペーパ（片面タイプ）１１Ａを表側から見て示す構成図、同図（Ｂ）は電子ペーパ（両面タイプ）１１Ｂを裏側から見て示す構成図である。
【００２３】
なお、表側から見た電子ペーパ（片面タイプ）１１Ａの構成と電子ペーパ（両面タイプ）１１Ｂの構成とは同じである。
【００２４】
電子ペーパ１１Ａ，１１Ｂには、その中央の略全領域に渡って不揮発性表示装置（表）１７（１７Ｒ），（裏）１７Ｌが設けられ、また綴じ込み部１８には、フレキシブルＩＣチップからなる制御装置１９、個別の電子ペーパＩＤを記憶するＩＤ記憶部２０、表示データを記憶する（情報）記憶装置２１が表裏共用として内蔵される。
【００２５】
さらに、前記綴じ込み部１８の中央に設けられた一方のバインダ用貫通孔１６ａの周囲には非接触型の電磁誘導電源部２２が表裏共用として内蔵され、また、もう一方のバインダ用貫通孔１６ｂの周囲には非接触型の通信装置２３が表裏共用として内蔵される。
【００２６】
また、電子ペーパ１１Ａ，１１Ｂの表側上部と、電子ペーパ１１Ｂの裏側上部とには、それぞれキーやタッチパッドなどを使用した入力装置２４（２４Ｒ），２４Ｌが設けられ、当該ペーパ上部の前記綴じ込み部１８とは反対の端部には、光センサを使用した重なり検出センサ２５（２５Ｒ），２５Ｌが設けられる。
【００２７】
そして、前記電子ペーパ１１Ａ，１１Ｂにおける不揮発性表示装置（表）１７（１７Ｒ），（裏）１７Ｌの４角の位置には、当該電子ペーパ１１Ａ，１１Ｂの電子下敷タブレット１４（１４Ｒ），１４Ｌに対する載置位置の位置ずれ検出のためのキャリブレーションポインタ２６ａ〜２６ｄが表裏共用として内蔵される。
【００２８】
図４は、前記電子ペーパ記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図である。
【００２９】
なお、正面から見た電子下敷（片面タイプ）１２Ａの構成と見開き型電子下敷１２Ｂの右面を見た構成とは同じである。
【００３０】
電子下敷１２Ａ，１２Ｂには、その中央の略全領域に渡って例えば電磁誘導方式のタブレット１４（１４Ｒ），１４Ｌが設けられ、またペーパ綴じ込み部２７には、ＩＣチップからなる制御装置２８、個別の電子下敷ＩＤを記憶するＩＤ記憶部２９、電子ペーパ１１Ａ，１１Ｂに対する表示用データなどを記憶する（情報）記憶装置３０が内蔵される。
【００３１】
また、電子下敷１２Ａ，１２Ｂの右端部、同電子下敷１２Ｂの左端部には、それぞれキーやタッチパッドなどを使用した下敷用入力装置３１（３１Ｒ），３１Ｌが設けられ、さらに上端部にはＬＣＤモニタなど常時電源供給の必要な表示装置をコネクタ接続するための接触型表示Ｉ／Ｆ（インターフェイス）３２、外部の通信ネットワークやそのネットワーク上にあるサーバコンピュータなどとの接続を図るための外部接続装置３３が設けられる。
【００３２】
さらに、前記ペーパ綴じ込み部２７のバインダ位置に対応させた中央部分には、電磁誘導電源供給部３５（３５Ｒ），３５Ｌが内蔵され、この電磁誘導電源供給部３５（３５Ｒ），３５Ｌから電磁誘導によって前記電子ペーパ１１Ａ，１１Ｂへの非接触電源供給を行うための電源供給用コア３４（３４Ｒ），３４Ｌが設けられる。
【００３３】
また、同ペーパ綴じ込み部２７のバインダ位置に対応させた中央部分には、通信装置３７（３７Ｒ），３７Ｌが内蔵され、この通信装置３７（３７Ｒ），３７Ｌから電磁誘導によって前記電子ペーパ１１Ａ，１１Ｂへの非接触通信を行うための通信用コア３６（３６Ｒ），３６Ｌが設けられる。
【００３４】
そしてこの電子下敷１２Ａ，１２Ｂには、例えば充電式のバッテリ３８が内蔵され、このバッテリ３８によって前記タブレット１４（１４Ｒ），１４Ｌ、制御装置２８、ＩＤ記憶部２９、記憶装置３０、下敷用入力装置３１（３１Ｒ），３１Ｌ、接触型表示Ｉ／Ｆ３２を介して接続される外部の表示装置にそれぞれ電力が供給されると共に、前記電磁誘導電源供給部３５（３５Ｒ），３５Ｌから電源供給用コア３４（３４Ｒ），３４Ｌを介して当該電子下敷１２Ａ，１２Ｂに載置される前記電子ペーパ１１Ａ，１１Ｂへと非接触で電力が供給される。
【００３５】
図５は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（平面タイプ）の構成を示す図である。
【００３６】
この電磁誘導部（平面タイプ）は、バインダ用貫通孔１６ａ，１６ｂ（図３参照）を持たない電子ペーパ１１Ａ，１１Ｂの綴じ込み部１８の電磁誘導電源部２２と通信部２３に対して電磁誘導による電源供給と通信接続を行うもので、電子ペーパ（片面タイプ）１１Ａおよび（両面タイプ）１１Ｂの何れの場合でも、電子下敷１２Ａ，１２Ｂの電磁誘導電源供給部３５（３５Ｒ），３５Ｌや通信装置３７（３７Ｒ），３７Ｌに設けた下敷側コア３９の先端露出面に対応する位置にはペーパ内コア４０…が内蔵され、このペーパ内コア４０の周囲を囲むように信号取り出し用の平面コイル４１が内蔵される。
【００３７】
なお、図５（Ａ１）で示す電子下敷（片面タイプ）１２Ａの電磁誘導部の場合には、その電子ペーパ（片面タイプ）１１Ａを綴じ込むバインダ部１３の内部にも下敷側コア３９を延長させ、当該電子ペーパ（片面タイプ）１１Ａのペーパ内コア４０…と合わせて電磁力線の磁束ループが損失少なく形成されるようにする。同図５（Ａ１）において４２はバインダ部１３の綴じ込み力を有するヒンジである。
【００３８】
すなわち、電子ペーパ（片面タイプ）１１Ａ…の綴じ込み部１８にペーパ内コア４０…を設けた場合には、設けない場合に較べて、下敷側コア３９との間で当該ペーパ内コア４０…を介し磁気抵抗が低くなり漏れ磁束少なく磁束ループがスムーズに通過形成されるので、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３から下敷側コア３９を経て、電子ペーパ１１Ａ，１１Ｂのペーパ内コア４０…からペーパ側平面コイル４１へと効率よく伝送され、その電磁誘導電源部２２へと電源供給され、通信部２３へと受信されるようになる。
【００３９】
図６は、前記電子ペーパ記録装置１０Ａ，１０Ｂにおいて電子下敷１２Ａ，１２Ｂのバインダ部１３，１６に対応させて設けた電子ペーパ１１Ａ，１１Ｂへの電源供給と通信接続を行うための電磁誘導部（凸面タイプ）の構成を示す図である。
【００４０】
この電磁誘導部（凸面タイプ）は、バインダ用貫通孔１６ａ，１６ｂ（図３参照）を有する電子ペーパ１１Ａ，１１Ｂの綴じ込み部１８の電磁誘導電源部２２と通信部２３に対して電磁誘導による電源供給と通信接続を行うもので、図６（Ａ１）に示すように、電子ペーパ（片面タイプ）１１Ａの場合には、電子下敷（片面タイプ）１２Ａの電磁誘導電源供給部３５や通信装置３７に対応して設けたバインダ兼用凸型コア３９ａを電子ペーパ（片面タイプ）１１Ａの綴じ込み部１８におけるバインダ用貫通孔１６ａ，１６ｂに挿通係止させ、当該電子ペーパ（片面タイプ）１１Ａの綴じ込みを行う。
【００４１】
また、図６（Ｂ）に示すように、電子ペーパ（両面タイプ）１１Ｂの場合には、電子下敷（両面タイプ）１２Ｂの電磁誘導電源供給部３５や通信装置３７に対応して設けたバインダ兼用凸型リング状コア３９ｂ（１６）を電子ペーパ（両面タイプ）１１Ｂの綴じ込み部１８におけるバインダ用貫通孔１６ａ，１６ｂに挿通係止させ、当該電子ペーパ（両面タイプ）１１Ｂの綴じ込みを行う。同図６（Ｂ）において４４は見開きバインダ部１６（３９ｂ）の綴じ込み力を有するヒンジである。
【００４２】
なお、図６で示すバインダ用貫通孔１６ａ，１６ｂを有する電子ペーパ１１Ａ，１１Ｂに対しての電子下敷１２Ａ，１２Ｂの電磁誘導部の場合には、一方の電子下敷（片面タイプ）１２Ａの場合、他方の電子下敷（両面タイプ）１２Ｂの場合の何れにあっても、バインダ兼用凸型コア３９ａあるいはバインダ兼用凸型リング状コア３９ｂによって電子ペーパ１１Ａ，１１Ｂのバインダ用貫通孔１６ａ，１６ｂを通過する環状コアが形成されるので、電磁力線の磁束ループがより損失なく形成される。
【００４３】
すなわち、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３からバインダ兼用凸型コア３９ａあるいはバインダ兼用凸型リング状コア３９ｂを経て、電子ペーパ１１Ａ，１１Ｂのペーパ側平面コイル４１へとより効率よく伝送され、その電磁誘導電源部２２へと電源供給され、通信部２３へと受信されるようになる。
【００４４】
一方、電子下敷１２Ａ（１２Ｂ）のタブレット１４上に載置された電子ペーパ１１Ａ（１１Ｂ）上で電子ペン１５によって手書き作業を行うと、当該電子ペン１５による書き込み位置は、電子下敷１２Ａ（１２Ｂ）のタブレット１４によって座標検出される。
【００４５】
この際、電子ペーパ１１Ａ（１１Ｂ）のタブレット１４上での載置位置は、電磁誘導コイルによって構成されたキャリブレーションポインタ２６ａ〜２６ｄの各位置が同タブレット１４によって座標検出されることで、その規定の載置位置からの座標の位置ずれが電子下敷１２Ａ（１２Ｂ）の制御装置２８によって計算検出される。
【００４６】
これにより、電子ペーパ１１Ａ（１１Ｂ）上での電子ペン１５での書き込み作業に伴い電子下敷１２Ａ（１２Ｂ）のタブレット１４によって検出される座標位置は、前記計算検出された電子ペーパ１１Ａ（１１Ｂ）の規定の載置位置からの位置ずれ量に応じて補正され、この補正後の書き込み座標位置に従って電子ペーパ１１Ａ（１１Ｂ）の通信部２３から（情報）記憶装置２１に対し書き込み軌跡の表示データが記憶され、不揮発性表示装置１７での手書きデータ表示が行われる。
【００４７】
また、例えば、電子下敷（両面タイプ）１２Ｂの左面のタブレット１４Ｌ上に１枚の電子ペーパ１１Ｂ（Ａ）が開かれ、また右面のタブレット１４Ｒ上には２枚の電子ペーパ１１Ｂが（Ｃ）→（Ｂ）の順に重ねられている状態では、左面のタブレット１４Ｌ上にある電子ペーパ１１Ｂ（Ａ）の裏面側重なり検出センサ２５Ｌに受光が検出され「重なり無し」と判別されると共に、キャリブレーションポインタ２６ａ〜２６ｄによってその座標位置がタブレット１４Ｌに検出されるので、当該電子ペーパ１１Ｂ（Ａ）は電子下敷（両面タイプ）１２Ｂの左面上で有効（アクティブ）と判別される。
【００４８】
また、右面のタブレット１４Ｒ上に重ねてある２枚の電子ペーパ１１Ｂ（Ｃ）（Ｂ）については、何れの電子ペーパ１１Ｂ（Ｃ）（Ｂ）もそのキャリブレーションポインタ２６ａ〜２６ｄによってタブレット１４Ｒに検出される一方で、電子ペーパ１１Ｂ（Ｂ）の表側重なり検出センサ２５Ｒにだけ受光が検出されて「重なり無し」と判別されるので、当該電子ペーパ１１Ｂ（Ｂ）は電子下敷（両面タイプ）１２Ｂの右面上で有効（アクティブ）と判別される。
【００４９】
なお、中立している電子ペーパ１１Ｂがある場合、表裏面側重なり検出センサ２５Ｒ，２５Ｌに受光が検出され「重なり無し」と判別される一方で、そのキャリブレーションポインタ２６ａ〜２６ｄからの電磁誘導信号は電子下敷１２Ｂにおける左右何れのタブレット１４Ｌ，１４Ｒにも検出されないので、当該中立の電子ペーパ１１Ｂは無効（非アクティブ）と判別される。
【００５０】
従って、電子下敷１２Ｂの制御装置２８では、その電磁誘導部を介して非接触で通信接続されている各電子ペーパ１１Ｂ…それぞれのＩＤ（Ａ）（Ｂ）（Ｃ）…に対応付けて、その表裏の重なり検出センサ２５Ｒ，２５Ｌによる重なり有無検出、キャリブレーションポインタ２６ａ〜２６ｄによるアクティブ有無検出、各ペーパサイズなどを収集管理することで、左右それぞれのタブレット１４Ｌ，１４Ｒ上にある有効（アクティブ）な電子ペーパ１１Ｂを判別でき、外部接続される情報端末から取得した各種コンテンツの表示データや前記左右のタブレット１４Ｌ，１４Ｒにて検出された電子ペン１５による手書きデータを、前記電磁誘導部を介してその有効（アクティブ）な電子ペーパ１１ＢのＩＤを有する不揮発性表示装置１７Ｒ，１７Ｌに表示させることができる。
【００５１】
図７は、前記電子ペーパ記録装置１０Ａ，１０ＢをネットワークＮ上のクラウドコンピューティングシステムの端末として組み込んだ場合の電子回路の構成を示すブロック図である。
【００５２】
これによれば、電子下敷１２Ｂ（１２Ａ）にＷｅｂブラウザを組み込むことで、ネットワークＮ上の情報提供サーバ５３Ｗ…から選択的に取得される任意のコンテンツの表示データを電子ペーパ１１Ａ（１１Ｂ）に表示させることができ、またその表示データを、ネットワークＮ上の電子ペーパ管理サーバ５３により、ユーザＩＤ、ペーパＩＤ、下敷ＩＤと対応付けて登録し管理することができる。
【００５３】
電子ペーパ１１Ａ（１１Ｂ）の電子回路は、前記図３を参照して説明したように、例えばフレキシブルＩＣチップのコンピュータである低機能ＣＰＵからなる制御装置１９を中心にして、不揮発性表示装置１７（１７Ｒ，１７Ｌ）、ＩＤ記憶部２０、情報記憶装置２１、電磁誘導電源部２２、通信装置２３、入力装置２４（２４Ｒ，２４Ｌ）、重なり検出センサ２５（２５Ｒ，２５Ｌ）、キャリブレーションポインタ２６ａ〜２６ｄが接続される。
【００５４】
電子下敷１２Ｂ（１２Ａ）の電子回路は、前記図４を参照して説明したように、例えばフレキシブルＩＣチップのコンピュータである低機能ＣＰＵからなる制御装置２８を中心にして、タブレット１４Ｒ，１４Ｌ（１４）、ＩＤ記憶部２９、情報記憶装置３０、入力装置３１Ｒ，３１Ｌ（３１）、接触型表示Ｉ／Ｆ３２、外部接続装置３３、電磁誘導電源供給部３５Ｒ，３５Ｌ（３５）、通信装置３７Ｒ，３７Ｌ（３７）、電源部（バッテリ）３８が接続される。
【００５５】
前記電子ペーパ１１Ａ（１１Ｂ）…は、前記電子下敷１２Ｂ（１２Ａ）に対して、前記図１，図２で示したように、そのバインダ部１６（１３）によってタブレット１４Ｒ，１４Ｌ（１４）上に載置して綴じることで、前記図５，図６で示したような電磁誘導部を介して、電子下敷１２Ｂ（１２Ａ）の電磁誘導電源供給部３５Ｒ，３５Ｌ（３５）が電子ペーパ１１Ａ（１１Ｂ）…の電磁誘導電源部２２に電磁接続され、また電子下敷１２Ｂ（１２Ａ）の通信装置３７Ｒ，３７Ｌ（３７）が電子ペーパ１１Ａ（１１Ｂ）…の通信装置２３に電磁接続される。
【００５６】
そして、電子ペーパ１１Ａ（１１Ｂ）…のキャリブレーションポインタ２６ａ〜２６ｄから発生される電磁誘導信号が電子下敷１２Ｂ（１２Ａ）のタブレット１４Ｒ，１４Ｌ（１４）により座標検出されることで、当該タブレット１４Ｒ，１４Ｌ（１４）に対する電子ペーパ１１Ａ（１１Ｂ）…の載置位置が検出される。
【００５７】
電子ペン１５は、当該ペンＩＤを記憶するＩＤ記憶部１５ａと、このＩＤ記憶部１５ａに記憶されたペンＩＤを読み出してコード信号を生成出力するＩＣチップの制御部１５ｂと、この制御部１５ｂにより生成出力されたペンＩＤのコード信号を電磁誘導信号に変換して出力するコイルを備えた通信装置１５ｃを有する。
【００５８】
前記電子ペーパ１１Ａ（１１Ｂ）の各回路部を制御装置１９が制御するためのプログラムデータは情報記憶装置２１に記憶され、またこの情報記憶装置２１には、当該電子ペーパ１１Ａ（１１Ｂ）の仕様である固有情報の他、入力装置２４（２４Ｒ，２４Ｌ）からのキー操作入力だけでなく、電子ペン１５からの電子下敷１２Ｂ（１２Ａ）による手書き位置検出入力、あるいは外部接続された情報提供サーバ５３Ｗ…や電子ペーパ管理サーバ５３からのテキスト・画像などの各種コンテンツの入力に応じたデータを不揮発性表示装置１７（１７Ｒ，１７Ｌ）に表示させるための表示データなども記憶される。
【００５９】
前記電子下敷１２Ｂ（１２Ａ）の各回路部を制御装置２８が制御するためのプログラムデータ（Ｗｅｂブラウザ含む）は情報記憶装置３０に記憶され、またこの情報記憶装置３０には、綴じ込みされた各電子ペーパ１１Ａ（１１Ｂ）…を管理するための管理情報（図８参照）の他、入力装置３１Ｒ，３１Ｌ（３１）からのキー操作入力だけでなく、タブレット１４Ｒ，１４Ｌ（１４）による前記電子ペン１５からの手書き位置検出入力、あるいは外部接続された情報提供サーバ５３Ｗ…や電子ペーパ管理サーバ５３からのテキスト・画像などの各種コンテンツの入力に応じたデータを現在有効（アクティブ）な電子ペーパ１１Ａ（１１Ｂ）へ送信して表示させるための表示データなども一時記憶される。
【００６０】
そして、表示装置４５は、前記電子ペーパ１１Ａ（１１Ｂ）…と同様にして前記電子下敷１２Ｂ（１２Ａ）のバインダ部１６（１３）に必要に応じて綴じられ、その各々の接触型表示Ｉ／Ｆ３２，５２によって接続される。この表示装置４５においても、電子ペン１５からの電子下敷１２Ｂ（１２Ａ）による手書き位置検出入力、あるいは外部接続された情報提供サーバ５３Ｗ…や電子ペーパ管理サーバ５３からのテキスト・画像などの各種コンテンツの入力に応じたデータをＬＣＤ表示装置４６にて表示できる。
【００６１】
ここで、前記電子下敷１２Ａ（１２Ｂ）の外部接続装置３３に外部接続されるネットワークＮ上の情報提供サーバ５３Ｗ…や電子ペーパ管理サーバ５３は、当該外部接続装置３３との有線通信又は無線通信により接続されるＰＣや携帯電話などの通信端末装置６１を中継して接続する構成としても良いし、直接接続する構成としても良い。
【００６２】
図８は、前記電子ペーパ記録装置１０Ａ，１０Ｂの電子下敷１２Ｂ（１２Ａ）の情報記憶装置３０にて記憶管理される電子ペーパ管理テーブル（下敷）５４の内容を示す図である。
【００６３】
この電子ペーパ管理テーブル（下敷）５４には、電子下敷１２Ｂ（１２Ａ）のバインダ部１６（１３）に電子ペーパ１１Ａ（１１Ｂ）…が綴じられてタブレット１４Ｒ，１４Ｌ（１４）上に載置された際に、入力装置２４Ｒ（２４Ｌ）からユーザ入力されるユーザＩＤに対応付けられて、当該電子ペーパ１１Ａ（１１Ｂ）…のそれぞれから通信受信される当該各電子ペーパ１１Ａ（１１Ｂ）…の固有情報（電子ペーパＩＤ・表裏コード・サイズ）および重なり検出センサ２５（２５Ｒ，２５Ｌ）による重なり検出情報と、各電子ペーパ１１Ａ（１１Ｂ）…のキャリブレーションポインタ２６ａ〜２６ｄの位置がタブレット１４Ｒ，１４Ｌ（１４）により座標検出されることによって認識される手書き位置の補正情報および前記重なり検出情報を加えて判別されるアクティブ（有効）情報が記憶されると共に、各電子ペーパ１１Ａ（１１Ｂ）の表裏それぞれに表示されている表示情報（表示データのコンテンツＩＤ・手書きデータとその位置）も記憶される。
【００６４】
そして、電子ペーパ管理テーブル（下敷）５４に記憶される各種の情報のうち、前記重なり検出情報、手書き位置の補正情報、アクティブ（有効）情報については、リアルタイムに更新されて記憶される。
【００６５】
よって、この電子ペーパ管理テーブル５４に従って、電子下敷１２Ｂ（１２Ａ）の右面と左面とにおける現在有効（アクティブ）な電子ペーパ１１Ａ（１１Ｂ）を認識し、当該有効（アクティブ）な電子ペーパＩＤに基づいた操作信号の入力処理および表示データの表示処理、登録処理を実行する。
【００６６】
図９は、前記電子ペーパ記録装置１０Ｂを端末としネットワーク（インターネット）Ｎ上の電子ペーパ管理サーバ５３にウェブアクセスベースで接続して使用する場合の構成例を示すブロック図である。
【００６７】
電子ペーパ管理サーバ５３は、コンピュータであるＣＰＵからなる制御装置５６を備え、この制御装置５６を中心にして入力装置５７、記憶装置５８、表示装置５９が接続され、またネットワーク（インターネット）Ｎ上の端末（電子ペーパ記録装置１０Ｂ）と、ＰＣや携帯電話などの通信端末装置６１を介して、あるいは直接的に通信接続するための通信装置６０が接続される。
【００６８】
前記電子ペーパ管理サーバ５３の記憶装置５８には、電子ペーパ管理プログラム等の種々の制御情報を記憶管理するための情報管理部５８ａをはじめ、各端末（電子ペーパ記録装置１０Ｂ…）からの要求に応じて登録または配信すべきコンテンツなどの情報をユーザＩＤ、下敷ＩＤ、ペーパＩＤに対応付けて記憶管理するための電子ペーパ管理部５８ｂが確保される。
【００６９】
図１０は、前記電子ペーパ管理サーバ５３の電子ペーパ管理部５８ｂにて記憶管理される電子ペーパ管理テーブル（サーバ）６２の内容を示す図である。
【００７０】
この電子ペーパ管理テーブル（サーバ）６２には、ログインされた端末（電子ペーパ記録装置１０Ｂ）からの受信に応じて、当該受信されたユーザＩＤ、電子下敷ＩＤ、電子ペーパＩＤおよびその表裏コードとアクティブ（有効）情報、表裏それぞれの表示情報（コンテンツＩＤ・コンテンツ表示データ）が対応付けられて記憶される。
【００７１】
ここで、電子ペーパ管理テーブル（サーバ）６２に記憶される各種の情報のうち、前記電子ペーパ１１Ａ（１１Ｂ）のアクティブ（有効）情報についてはリアルタイムに更新されて記憶され、表示情報（コンテンツＩＤ・コンテンツ表示データ）は、登録要求の受信に応じて新規に又は更新されて記憶される。
【００７２】
次に、前記構成の電子ペーパ記録装置１０Ａ，１０Ｂをクラウドコンピューティングシステムの端末として組み込んだ場合（図７〜図１０参照）の動作について説明する。
【００７３】
図１１は、前記電子ペーパ記録装置１０Ａ，１０Ｂを端末として組み込んだクラウドコンピューティングシステムにおける電子下敷１２Ａ，１２Ｂでの処理（その１）を示すフローチャートである。
【００７４】
図１２は、前記電子ペーパ記録装置１０Ａ，１０Ｂを端末として組み込んだクラウドコンピューティングシステムにおける電子下敷１２Ａ，１２Ｂでの処理（その２）を示すフローチャートである。
【００７５】
図１３は、前記電子ペーパー記録装置１０Ａ，１０Ｂを端末として組み込んだクラウドコンピューティングシステムにおける電子ペーパ管理サーバ５３での処理を示すフローチャートである。
【００７６】
電子ペーパ記録装置（両面タイプ）１０Ｂの電子下敷（両面タイプ）１２Ｂにおいて、電子ペーパ（両面タイプ）１１Ｂが装着されたことが、バインダ部１６における電磁誘導電源供給部３５Ｒ，３５Ｌおよび通信装置３７Ｒ，３７Ｌでの接続検出に応じて制御装置２８に判断されると（ステップＳ０（Ｙｅｓ））、当該装着された電子ペーパ１１Ｂの不揮発性表示装置１７の所定の位置にユーザＩＤの登録を要求するメッセージが表示される。そして、入力装置２４のユーザ操作に応じてユーザＩＤが入力されると、情報記憶装置３０の電子ペーパ管理テーブル（下敷）５４（図８参照）に当該入力されたユーザＩＤが登録される（ステップＳ１）。
【００７７】
ここで、電子ペーパ１１Ｂの情報記憶装置２１に何らかのコンテンツの表示データが記憶されているか否かにより不揮発性表示装置１７に表示があるか否か判断される（ステップＳ２）。
【００７８】
電子ペーパ１１Ｂの不揮発性表示装置１７にコンテンツの表示が無いと判断されると（ステップＳ２（Ｎｏ））、当該電子ペーパ１１ＢのＩＤ記憶部２０から読み出された電子ペーパＩＤが、前記電子ペーパ管理テーブル（下敷）５４に登録されたユーザＩＤに対応付けられて既に登録されているか否か判断される（ステップＳ３）。
【００７９】
そして、前記電子ペーパ管理テーブル（下敷）５４のユーザＩＤに対応付けられて、電子ペーパ１１Ｂの電子ペーパＩＤが登録されていないと判断された後（ステップＳ３（Ｎｏ））、当該電子ペーパ１１Ｂの入力装置２４のユーザ操作に応じて表示の変更が指示されると（ステップＳ４（Ｙｅｓ））、外部接続装置３３を介してネットワークＮ上の電子ペーパ管理サーバ５３から前記電子ペーパ１１Ｂに表示させるための複数のコンテンツ表示データが受信済みであるか否か判断される（ステップＳ５）。
【００８０】
ここで、前記複数のコンテンツ表示データが受信済みでないと判断されると（ステップＳ５（Ｎｏ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、電子ペーパ１１Ｂの不揮発性表示装置１７に表示される（ステップＳ７）。
【００８１】
すると、電子ペーパ１１ＢのＩＤ記憶部２０から読み出された電子ペーパＩＤが、前記情報記憶装置３０の電子ペーパ管理テーブル（下敷）５４（図８参照）に登録されたユーザＩＤに対応付けられて登録されているか否か判断される（ステップＳ８）。
【００８２】
そして、前記電子ペーパ管理テーブル（下敷）５４のユーザＩＤに対応付けられて、電子ペーパ１１Ｂの電子ペーパＩＤが登録されていないと判断されると（ステップＳ８（Ｎｏ））、当該電子ペーパ管理テーブル（下敷）５４のユーザＩＤに対応付けられて、電子ペーパ１１ＢのＩＤ記憶部２０から読み出された電子ペーパＩＤ、同電子ペーパ１１Ｂの不揮発性表示装置１７に表示されているコンテンツ表示データのコンテンツＩＤが記憶される（ステップＳ９）。
【００８３】
具体的には、図８に示すように、例えばユーザＩＤ“１２３０１”、電子ペーパＩＤ“Ａ”のアクティブ（有効）な裏面“２”に対応付けられてコンテンツＩＤ“Ａ２ａ”として記憶される。
【００８４】
さらに、前記電子ペーパ管理テーブル（下敷）５４に記憶されたユーザＩＤ、本電子下敷１２ＢのＩＤ記憶部２９から読み出された電子下敷ＩＤ、および電子ペーパ１１ＢのＩＤ記憶部２０から読み出された電子ペーパＩＤ、同電子ペーパ１１Ｂに表示されたコンテンツ表示データのＩＤとその表示データが、外部接続装置３３を介してネットワークＮ上の電子ペーパ管理サーバ５３へ送信され、その電子ペーパ管理テーブル（サーバ）６２（図１０参照）に登録される（ステップＳ１０）。
【００８５】
電子ペーパ管理サーバ５３において、前記電子下敷１２Ｂから送信されたユーザＩＤ、電子下敷ＩＤ、電子ペーパＩＤ、電子ペーパ１１Ｂに表示中のコンテンツＩＤとその表示データが受信されると（ステップＭ１（Ｙｅｓ））、電子ペーパ管理部５８ｂの電子ペーパ管理テーブル（サーバ）６２に、前記受信されたユーザＩＤ、電子下敷ＩＤ、電子ペーパＩＤを対応付けた管理データが既に登録されているか否か判断される（ステップＭ２）。
【００８６】
そして、電子ペーパ管理テーブル（サーバ）６２に、前記受信されたユーザＩＤ、電子下敷ＩＤ、電子ペーパＩＤを対応付けた管理データが登録されていないと判断されると（ステップＭ２（Ｎｏ））、当該受信されたユーザＩＤ、電子下敷ＩＤ、電子ペーパＩＤ、電子ペーパ１１Ｂに表示中のコンテンツＩＤとその表示データが対応付けられて新規登録される（ステップＭ３）。
【００８７】
具体的には、図１０に示すように、例えばユーザＩＤ“１２３０１”、電子下敷ＩＤ“あ”、電子ペーパＩＤ“Ａ”のアクティブ（有効）な裏面“２”に対応付けられてコンテンツＩＤ“Ａ２ａ”、コンテンツ表示データ“Ｄ２１”として登録される。
【００８８】
そして、前記電子下敷“あ”１２Ｂの電子ペーパ“Ａ”１１Ｂのアクティブ（有効）な裏面“２”にコンテンツＩＤ“Ａ２ａ”の表示データ“Ｄ２１”が表示されている状態で、電子ペン１５による手書きの入力がタブレット１４Ｌにより検出されると（ステップＳ１１（Ｙｅｓ））、前記電子ペーパ“Ａ”１１Ｂの裏面“２”に表示中のコンテンツ表示データ“Ｄ２１”上に、当該手書き入力に伴う軌跡が重ねられて表示される（ステップＳ１２）。
【００８９】
そして、この手書き入力に伴う手書きデータとその位置情報は、本電子下敷“あ”１２Ｂの電子ペーパ管理テーブル（下敷）５４において、例えば、図８に示すように、前記ユーザＩＤ“１２３０１”、電子ペーパＩＤ“Ａ”のアクティブ（有効）な裏面“２”、コンテンツＩＤ“Ａ２ａ”に対応付けられた手書きデータ”ＨＤＡ２ａ”とその位置情報“ＰＡ２ａ”として記憶される（ステップＳ１３）。
【００９０】
一方、前記電子下敷１２Ｂにおいて、電子ペーパ１１Ｂが装着されてユーザＩＤが登録された際に（ステップＳ０，Ｓ１）、当該電子ペーパ１１Ｂの不揮発性表示装置１７に既にコンテンツの表示がされていると判断された場合は（ステップＳ２（Ｙｅｓ））、前記登録されたユーザＩＤ、装着された電子ペーパ１１ＢのＩＤ記憶部２０から読み出された電子ペーパＩＤ、本電子下敷１２ＢのＩＤ記憶部２９から読み出された電子下敷ＩＤ、電子ペーパ１１Ｂの情報記憶装置２１から読み出された表示データとそのコンテンツＩＤが対応付けられてネットワークＮ上の電子ペーパ管理サーバ５３へ送信される（ステップＳ１４）。
【００９１】
またこれと共に、電子ペーパ管理テーブル（下敷）５４において、前記登録されたユーザＩＤに対応付けられて、前記装着された電子ペーパ１１Ｂの電子ペーパＩＤ、前記表示されている表示データのコンテンツＩＤが記憶される（ステップＳ１５）。
【００９２】
この際、電子ペーパ管理サーバ５３において、前記受信されたユーザＩＤ、電子下敷ＩＤ、電子ペーパＩＤを対応付けた管理データが電子ペーパ管理部５８ｂの電子ペーパ管理テーブル６２に登録されていないと判断された場合は（ステップＭ１，Ｍ２（Ｎｏ））、当該受信されたユーザＩＤ、電子下敷ＩＤ、電子ペーパＩＤ、電子ペーパ１１Ｂに表示中のコンテンツＩＤとその表示データが対応付けられて新規登録される（ステップＭ３）。
【００９３】
また一方、前記受信されたユーザＩＤ、電子下敷ＩＤ、電子ペーパＩＤを対応付けた管理データが前記電子ペーパ管理テーブル６２（図１０参照）に登録されていると判断された場合は（ステップＭ２（Ｙｅｓ））、当該ユーザＩＤ、電子下敷ＩＤ、電子ペーパＩＤの組み合わせに対応付けられて登録されているコンテンツＩＤと前記受信されたコンテンツＩＤとが異なる場合にコンテンツ表示データの更新と判断され（ステップＭ７（Ｙｅｓ））、同ユーザＩＤ、電子下敷ＩＤ、電子ペーパＩＤの組み合わせに対応付けられて、登録済みのコンテンツＩＤとその表示データが、前記受信されたコンテンツＩＤとその表示データに更新されて登録される（ステップＭ８）。
【００９４】
具体的には、図１０に示すように、例えばユーザＩＤ“１２３０１”、電子下敷ＩＤ“あ”、電子ペーパＩＤ“Ｂ”のアクティブ（有効）な表面“１”に対応付けられてコンテンツＩＤ“Ｂ１ａ”“Ｂ１ｂ”“Ｂ１ｃ”が登録されており、今回受信されたコンテンツＩＤが異なるＩＤ“Ｂ１ｄ”である場合に、登録済みの最先のコンテンツＩＤ“Ｂ１ａ”とその表示データ“Ｄ３１”が今回受信されたコンテンツＩＤ“Ｂ１ｄ”とその表示データ“Ｄ３４”に更新されて登録される。
【００９５】
そして、前記電子下敷“あ”１２Ｂの電子ペーパ“Ｂ”１１Ｂの表面“１”にコンテンツＩＤ“Ｂ１ｃ”の表示データ“Ｄ３３”が表示されている状態で、電子ペン１５による手書きの入力がタブレット１４Ｒにより検出されると（ステップＳ１１（Ｙｅｓ））、前記電子ペーパ“Ｂ”１１Ｂの表面“１”に表示中のコンテンツ表示データ“Ｄ３３”上に、当該手書き入力に伴う軌跡が重ねられて表示される（ステップＳ１２）。
【００９６】
そして、この手書き入力に伴う手書きデータとその位置情報は、本電子下敷“あ”１２Ｂの電子ペーパ管理テーブル（下敷）５４において、例えば、図８に示すように、前記ユーザＩＤ“１２３０１”、電子ペーパＩＤ“Ｂ”のアクティブ（有効）な表面“１”、コンテンツＩＤ“Ｂ１ｃ”に対応付けられた手書きデータ”ＨＤＢ１ｃ”とその位置情報“ＰＢ１ｃ”として記憶される（ステップＳ１３）。
【００９７】
一方、前記電子下敷１２Ｂにおいて、電子ペーパ１１Ｂが装着されてユーザＩＤが登録された際に（ステップＳ０，Ｓ１）、当該電子ペーパ１１Ｂの不揮発性表示装置１７にコンテンツの表示がされていないと判断された場合であって（ステップＳ２（Ｎｏ））、電子ペーパ管理テーブル（下敷）５４の前記登録されたユーザＩＤに対応付けられて、電子ペーパ１１ＢのＩＤ記憶部２０から読み出された電子ペーパＩＤが登録済みであると判断された場合には（ステップＳ３（Ｙｅｓ））、当該ユーザＩＤ、電子ペーパＩＤ、ＩＤ記憶部２９から読み出された電子下敷ＩＤが外部接続装置３３を介してネットワークＮ上の電子ペーパ管理サーバ５３へ送信される（ステップＳ１６）。
【００９８】
具体的には、例えば、図８に示すように、電子ペーパ管理テーブル（下敷）５４に登録済みのユーザＩＤ“１２３０１”、電子ペーパＩＤ“Ｂ”、および本電子下敷１２Ｂの電子下敷ＩＤ“あ”が電子ペーパ管理サーバ５３へ送信される。
【００９９】
電子ペーパ管理サーバ５３において、前記電子下敷１２Ｂから送信されたユーザＩＤ“１２３０１”、電子ペーパＩＤ“Ｂ”、電子下敷ＩＤ“あ”が受信された際に（ステップＭ１（Ｙｅｓ））、当該受信されたユーザＩＤ“１２３０１”、電子下敷ＩＤ“あ”、電子ペーパＩＤ“Ｂ”が、電子ペーパ管理テーブル（サーバ）６２（図１０参照）に登録済みであると判断されると（ステップＭ２（Ｙｅｓ））、前記受信データの中にコンテンツ表示データが含まれていないことで表示データの登録要求ではなく送信要求であると判断される（ステップＭ４（Ｙｅｓ））。
【０１００】
すると、前記電子ペーパ管理テーブル（サーバ）６２において、前記電子下敷１２Ｂから受信されたユーザＩＤ“１２３０１”、電子下敷ＩＤ“あ”、電子ペーパＩＤ“Ｂ”のアクティブ（有効）な表面“１”に対応付けられて登録されている全てのコンテンツＩＤ“Ｂ１ａ”Ｂ１ｂ“Ｂ１ｃ”とコンテンツ表示データ“Ｄ３１”“Ｄ３２”“Ｄ３３”が読み出され（ステップＭ５）、前記電子下敷“あ”１２Ｂへ送信される（ステップＭ６）。
【０１０１】
電子下敷“あ”１２Ｂにおいて、前記電子ペーパ管理サーバ５３から送信されたコンテンツＩＤ“Ｂ１ａ”Ｂ１ｂ“Ｂ１ｃ”とコンテンツ表示データ“Ｄ３１”“Ｄ３２”“Ｄ３３”が受信されると（ステップＳ１７）、その最新のコンテンツ表示データ“Ｄ３３”が電子ペーパ“Ｂ”１１Ｂの情報記憶装置２１に書き込まれ、アクティブ（有効）な表面“１”の不揮発性表示装置１７Ｒに表示される（ステップＳ１８）。なお、前記電子ペーパ管理サーバ５３からの受信データが、１つのコンテンツＩＤとコンテンツ表示データである場合には、その表示データが電子ペーパ１１Ｂの不揮発性表示装置１７に表示される。
【０１０２】
そして、前記ステップＳ３の処理に従い電子ペーパ管理テーブル（下敷）５４に登録済みと判断されたユーザＩＤ“１２３０１”、電子ペーパＩＤ“Ｂ”、および前記不揮発性表示装置１７Ｒに表示されたコンテンツ表示データ“Ｄ３３”のＩＤ“Ｂ１ｃ”に対応付けられた手書きデータ“ＨＤＢ１ｃ”が登録されていると判断されると（ステップＳ１９（Ｙｅｓ））、当該手書きデータ“ＨＤＢ１ｃ”がその位置情報“ＰＢ１ｃ”に従い前記電子ペーパ“Ｂ”１１Ｂの表面“１”の不揮発性表示装置１７Ｒに表示中のコンテンツ表示データ“Ｄ３３”上に重畳されて表示される（ステップＳ２０）。
【０１０３】
この後、電子ペーパ１１Ｂの入力装置２４のユーザ操作に応じて表示の変更が指示されると（ステップＳ４（Ｙｅｓ））、外部接続装置３３を介してネットワークＮ上の電子ペーパ管理サーバ５３から前記電子ペーパ１１Ｂに表示させるための複数のコンテンツ表示データが受信済みであるか否か判断される（ステップＳ５）。
【０１０４】
ここでは、前記ステップＳ１７において、電子ペーパ管理サーバ５３から３つのコンテンツＩＤ“Ｂ１ａ”Ｂ１ｂ“Ｂ１ｃ”とコンテンツ表示データ“Ｄ３１”“Ｄ３２”“Ｄ３３”が受信済みであると判断され（ステップＳ５（Ｙｅｓ））、この複数のコンテンツ表示データ“Ｄ３１”“Ｄ３２”“Ｄ３３”の選択項目に、外部からの取り込みを指示する選択項目を加えた表示選択メニューが前記電子ペーパ“Ｂ”１１Ｂの表面“１”の不揮発性表示装置１７Ｒにウインドウ表示される（ステップＳ２１）。
【０１０５】
そして、前記ウインドウ表示された表示選択メニューがユーザ操作に応じて選択されると（ステップＳ２２）、先ず、外部からの取り込みを指示する選択項目が選択されたか否か判断される（ステップＳ２３）。
【０１０６】
ここで、外部からの取り込みを指示する選択項目が選択されていないと判断された場合に（ステップＳ２３（Ｎｏ））、前記受信済みである複数のコンテンツ表示データ“Ｄ３１”“Ｄ３２”“Ｄ３３”の何れかの選択項目が選択された場合には（ステップＳ２４）、当該選択された例えばコンテンツ表示データ“Ｄ３１”が、電子ペーパ“Ｂ”１１Ｂの情報記憶装置２１に書き込まれ、前記コンテンツ表示データ“Ｄ３３”が表示されているアクティブ（有効）な表面“１”の不揮発性表示装置１７Ｒに変更されて表示される（ステップＳ２５）。
【０１０７】
そして、ユーザ登録されたユーザＩＤ“１２３０１”、電子ペーパ１１Ｂの電子ペーパＩＤ“Ｂ”、前記選択表示されたコンテンツ表示データ“Ｄ３１”のコンテンツＩＤ“Ｂ１ａ”に対応付けられて、電子ペーパ管理テーブル（下敷）５４（図８参照）に手書きデータ“ＨＤＢ１ａ”が登録されていると判断されると（ステップＳ２６（Ｙｅｓ））、当該手書きデータ“ＨＤＢ１ａ”がその位置情報“ＰＢ１ａ”に従い前記電子ペーパ“Ｂ”１１Ｂの表面“１”の不揮発性表示装置１７Ｒに表示中のコンテンツ表示データ“Ｄ３１”上に重畳されて表示される（ステップＳ２７）。
【０１０８】
一方、前記ステップＳ２３において、前記ウインドウ表示された表示選択メニューから外部からの取り込みを指示する選択項目が選択されたと判断された場合は（ステップＳ２３（Ｙｅｓ））、外部接続装置３３を介して、ＰＣなどの通信端末装置６１から直接、あるいは当該通信端末装置６１を介してネットワークＮ上の情報提供サーバ５３Ｗから選択的に任意のコンテンツ表示データが取得され（ステップＳ６）、前記電子ペーパ“Ｂ”１１Ｂの不揮発性表示装置１７Ｒに表示される（ステップＳ７）。
【０１０９】
ここで、当該電子ペーパ１１ＢのＩＤ記憶部２０から読み出された電子ペーパＩＤ“Ｂ”が、前記電子ペーパ管理テーブル（下敷）５４（図８参照）にユーザ登録されたユーザＩＤ“１２３０１”に対応付けられて登録されていると判断されると（ステップＳ８（Ｙｅｓ））、当該電子ペーパ管理テーブル（下敷）５４に登録済みのユーザＩＤ“１２３０１”、電子ペーパＩＤ“Ｂ”のアクティブ（有効）な表面“１”に対応付けられて、登録済みの最先のコンテンツＩＤ“Ｂ１ａ”が、前記ステップＳ６，Ｓ７にて新たに表示されたコンテンツ表示データのコンテンツＩＤ（例えば“Ｂ１ｄ”）に更新されて記憶される（ステップＳ２８）。この際、更新されたコンテンツＩＤ“Ｂ１ｄ”に対応するところの手書きデータ“ＨＤＢ１ａ”およびその位置情報“ＰＢ１ａ”は消去される。
【０１１０】
そして、前記ユーザＩＤ“１２３０１”、本電子下敷１２ＢのＩＤ記憶部２９から読み出された電子下敷ＩＤ“あ”、および電子ペーパ１１ＢのＩＤ記憶部２０から読み出された電子ペーパＩＤ“Ｂ”、同電子ペーパ１１Ｂに表示中のコンテンツＩＤ“Ｂ１ｄ”とその表示データ（例えば“Ｄ３４”）が、外部接続装置３３を介してネットワークＮ上の電子ペーパ管理サーバ５３へ送信され、その電子ペーパ管理テーブル（サーバ）６２に登録される（ステップＳ１０）。
【０１１１】
電子ペーパ管理サーバ５３において、前記電子下敷１２Ｂから受信されたユーザＩＤ“１２３０１”、電子下敷ＩＤ“あ”、電子ペーパＩＤ“Ｂ”を対応付けた管理データが電子ペーパ管理テーブル（サーバ）６２（図１０参照）に登録されていると判断されると（ステップＭ１，Ｍ２（Ｙｅｓ））、当該ユーザＩＤ“１２３０１”、電子下敷ＩＤ“あ”、電子ペーパＩＤ“Ｂ”のアクティブ（有効）な表面“１”の組み合わせに対応付けられて登録されているコンテンツＩＤ“Ｂ１ａ”“Ｂ１ｂ”“Ｂ１ｃ”と前記受信されたコンテンツＩＤ“Ｂ１ｄ”とが異なることでコンテンツ表示データの更新と判断される（ステップＭ７（Ｙｅｓ））。
【０１１２】
すると、同電子ペーパ管理テーブル（サーバ）６２において、同ユーザＩＤ“１２３０１”、電子下敷ＩＤ“あ”、電子ペーパＩＤ“Ｂ”のアクティブ（有効）な表面“１”の組み合わせに対応付けられて、登録済みの最先のコンテンツＩＤ”Ｂ１ａ”とその表示データ“Ｂ３１”が、前記受信されたコンテンツＩＤ“Ｂ１ｄ”とその表示データ“Ｄ３４”に更新されて登録される（ステップＭ８）。
【０１１３】
したがって、前記構成の電子ペーパ記録装置１０Ａ，１０Ｂをクラウドコンピューティングシステムに組み込んだ電子ペーパ管理システムによれば、電子下敷１２Ａ（１２Ｂ）において、電子ペーパ１１Ａ（１１Ｂ）の装着が検出され、当該電子ペーパ１１Ａ（１１Ｂ）にコンテンツを表示させた状態で、本電子下敷１２Ａ（１２Ｂ）の下敷ＩＤと前記電子ペーパ１１Ａ（１１Ｂ）のペーパＩＤと前記表示中のコンテンツ表示データとを対応付けてクラウドシステム上の電子ペーパ管理サーバ５３へ送信して登録させる。そして、新たに電子ペーパ１１Ａ（１１Ｂ）の装着が検出された際に、本電子下敷１２Ａ（１２Ｂ）の下敷ＩＤと電子ペーパ１１Ａ（１１Ｂ）のペーパＩＤとの組み合わせが前記電子ペーパ管理サーバ５３に登録されている場合には、当該電子下敷ＩＤと電子ペーパＩＤとの組み合わせに対応付けられて登録されているコンテンツ表示データが同管理サーバ５３から受信され電子ペーパ１１Ａ（１１Ｂ）に再表示される。
【０１１４】
このため、ユーザは電子下敷１２Ａ（１２Ｂ）に電子ペーパ１１Ａ（１１Ｂ）を載せるだけで、当該下敷とペーパとの組み合わせに対応付けられて登録されているコンテンツ表示データを直ちに読み出して再表示できるようになる。
【０１１５】
また、前記構成の電子ペーパ管理システムによれば、電子下敷１２Ａ（１２Ｂ）において、本電子下敷１２Ａ（１２Ｂ）の下敷ＩＤと電子ペーパ１１Ａ（１１Ｂ）のペーパＩＤと電子ペーパ１１Ａ（１１Ｂ）に表示中のコンテンツ表示データとを対応付けて電子ペーパ管理サーバ５３へ送信登録した場合は、当該電子ペーパＩＤを管理テーブル５４に記憶する。そして、新たに電子ペーパ１１Ａ（１１Ｂ）の装着が検出された際に、当該電子ペーパ１１Ａ（１１Ｂ）のペーパＩＤが前記管理テーブル５４に記憶されていない場合は、前記電子下敷ＩＤと電子ペーパＩＤとコンテンツ表示データとを対応付けた電子ペーパ管理サーバ５３への新規登録を行い、当該電子ペーパＩＤが前記管理テーブル５４に記憶されている場合は、その電子ペーパＩＤと本電子下敷１２Ａ（１２Ｂ）の下敷ＩＤとを電子ペーパ管理サーバ５３へ送信しその組み合わせに対応付けられて登録されているコンテンツ表示データを受信して電子ペーパ１１Ａ（１１Ｂ）へ再表示させる。
【０１１６】
このため、電子ペーパ１１Ａ（１１Ｂ）を装着するだけで、そのコンテンツ表示データの管理サーバ５３への登録または再表示を直ちに行うことができる。
【０１１７】
また、前記構成の電子下敷１２Ａ（１２Ｂ）は、外部接続装置３３を介して外部の通信端末装置（ＰＣ，携帯端末等）６１から取得した任意のコンテンツ表示データ、あるいは当該通信端末装置（ＰＣ，携帯端末等）６１を中継してインターネットＮ上の情報提供サーバ５３Ｗから取得した任意のコンテンツ表示データ、あるいは前記外部接続装置３３を介して直接接続されたインターネットＮ上の情報提供サーバ５３Ｗから取得した任意のコンテンツ表示データを電子ペーパ１１Ａ（１１Ｂ）に表示させることができるので、各電子ペーパ１１Ａ（１１Ｂ）…のそれぞれにユーザ任意に取得した各種コンテンツを異ならせて表示させることができる。
【０１１８】
また、前記構成の電子ペーパ管理システムによれば、電子下敷１２Ａ（１２Ｂ）は、装着された電子ペーパ１１Ａ（１１Ｂ）にコンテンツが表示されていないと判断された場合であって、且つ前記管理テーブル５４に、前記電子ペーパ１１Ａ（１１Ｂ）のペーパＩＤが記憶されていると判断された場合に、当該電子ペーパＩＤと本電子下敷１２Ａ（１２Ｂ）の下敷ＩＤとを電子ペーパ管理サーバ５３へ送信しその組み合わせに対応付けられて登録されているコンテンツ表示データを受信して電子ペーパ１１Ａ（１１Ｂ）へ再表示させる。
【０１１９】
このため、装着された電子ペーパ１１Ａ（１１Ｂ）に既にコンテンツが表示されている場合は、それを優先的に表示させ電子ペーパ管理サーバ５３へ登録できる。
【０１２０】
また、前記構成の電子ペーパ管理システムによれば、電子下敷１２Ａ（１２Ｂ）は、電子ペーパ１１Ａ（１１Ｂ）に新たなコンテンツが表示される毎に、当該電子下敷１２Ａ（１２Ｂ）の下敷ＩＤと前記電子ペーパ１１Ａ（１１Ｂ）のペーパＩＤと前記表示されたコンテンツ表示データとを対応付けて電子ペーパ管理サーバ５３へ送信し、同電子下敷ＩＤと電子ペーパＩＤとの組み合わせに対応付けて追加して登録させる。そして、新たに電子ペーパ１１Ａ（１１Ｂ）の装着が検出された際に、本電子下敷１２Ａ（１２Ｂ）の下敷ＩＤと電子ペーパ１１Ａ（１１Ｂ）のペーパＩＤとの組み合わせが前記電子ペーパ管理サーバ５３に登録されている場合には、当該電子下敷ＩＤと電子ペーパＩＤとの組み合わせに対応付けられて登録されている複数のコンテンツ表示データが同管理サーバ５３から受信され、ユーザ任意に選択されたコンテンツ表示データが電子ペーパ１１Ａ（１１Ｂ）に再表示される。
【０１２１】
このため、電子ペーパ１１Ａ（１１Ｂ）に対応付けて登録した複数のコンテンツ表示データの何れかをユーザによって選択的に再表示させることができる。
【０１２２】
また、前記電子下敷１２Ａ（１２Ｂ）において、装着された電子ペーパ１１Ａ（１１Ｂ）のペーパ上にて電子ペン１５により手書き入力すると、タブレット１４Ｒ（１４Ｌ）により検出される手書きの軌跡が前記電子ペーパ１１Ａ（１１Ｂ）上の該当する位置に重畳されて表示される。
【０１２３】
このため、電子ペーパ１１Ａ（１１Ｂ）に表示されたコンテンツ表示データ上にて任意の手書きデータを追記データとして表示できる。
【０１２４】
さらに、前記電子下敷１２Ａ（１２Ｂ）において、電子ペーパ１１Ａ（１１Ｂ）上で手書き入力された追記の手書きデータは、当該電子ペーパ１１Ａ（１１Ｂ）のペーパＩＤと同電子ペーパ１１Ａ（１１Ｂ）にて表示中のコンテンツ表示データのコンテンツＩＤとに対応付けられて管理テーブル５４に記憶される。そして、新たな電子ペーパ１１Ａ（１１Ｂ）が装着され、本電子下敷１２Ａ（１２Ｂ）の下敷ＩＤと当該電子ペーパ１１Ａ（１１Ｂ）のペーパＩＤとに対応付けられて前記電子ペーパ管理サーバ５３に登録されているコンテンツ表示データが受信され電子ペーパ１１Ａ（１１Ｂ）に再表示された際には、当該電子ペーパ１１Ａ（１１Ｂ）のペーパＩＤと再表示されたコンテンツ表示データのコンテンツＩＤとに対応付けられて前記管理テーブル５４に記憶されている追記の手書きデータが読み出され、再表示されたコンテンツ表示データに重畳されて表示される。
【０１２５】
このため、電子ペーパ１１Ａ（１１Ｂ）毎に再表示されるコンテンツ表示データ毎に、当該各コンテンツ表示データにそれぞれ追記した手書きデータを重畳させて表示できる。
【０１２６】
また、前記構成の電子ペーパ記録装置１０Ａ，１０Ｂをクラウドコンピューティングシステムに組み込んだ電子ペーパ管理システムによれば、電子下敷１２Ａ（１２Ｂ）において、電子ペーパ１１Ａ（１１Ｂ）の装着が検出され、当該電子ペーパ１１Ａ（１１Ｂ）にコンテンツが表示されている状態で、本電子下敷１２Ａ（１２Ｂ）の下敷ＩＤと前記電子ペーパ１１Ａ（１１Ｂ）のペーパＩＤと前記表示中のコンテンツ表示データとを対応付けてクラウドシステム上の電子ペーパ管理サーバ５３へ送信して登録させる際には、本電子下敷１２Ａ（１２Ｂ）にユーザ入力されたユーザＩＤとも対応付けられて登録される。そして、新たに電子ペーパ１１Ａ（１１Ｂ）の装着が検出された際に、ユーザＩＤと本電子下敷１２Ａ（１２Ｂ）の下敷ＩＤと電子ペーパ１１Ａ（１１Ｂ）のペーパＩＤとの組み合わせが前記電子ペーパ管理サーバ５３に登録されている場合には、当該ユーザＩＤと電子下敷ＩＤと電子ペーパＩＤとの組み合わせに対応付けられて登録されているコンテンツ表示データが同管理サーバ５３から受信され電子ペーパ１１Ａ（１１Ｂ）に再表示される。
【０１２７】
このため、ユーザは電子下敷１２Ａ（１２Ｂ）に電子ペーパ１１Ａ（１１Ｂ）を載せるだけで、当該ユーザと下敷とペーパとの組み合わせに対応付けられて登録されているコンテンツ表示データを直ちに読み出して再表示できるようになる。
【０１２８】
また、前記構成の電子ペーパ管理システムにおける電子ペーパ管理サーバ５３によれば、電子下敷１２Ａ（１２Ｂ）からその下敷ＩＤと電子ペーパＩＤとの組み合わせが受信された際に、当該下敷ＩＤとペーパＩＤとの組み合わせが電子ペーパ管理テーブル６２に登録されていない場合には、同下敷ＩＤとペーパＩＤとの組み合わせに対応付けて前記電子下敷１２Ａ（１２Ｂ）から共に受信されたコンテンツ表示データを登録し、前記電子下敷１２Ａ（１２Ｂ）から受信された下敷ＩＤとペーパＩＤとの組み合わせが電子ペーパ管理テーブル６２に登録されている場合であって、同下敷ＩＤとペーパＩＤとの組み合わせに対応付けて登録済みのコンテンツ表示データが、前記電子下敷１２Ａ（１２Ｂ）から共に受信されたコンテンツ表示データと異なる場合には、当該登録済みのコンテンツ表示データを前記受信されたコンテンツ表示データに更新して登録し、さらに、前記電子下敷１２Ａ（１２Ｂ）から受信された下敷ＩＤとペーパＩＤとの組み合わせが電子ペーパ管理テーブル６２に登録されている場合であって、コンテンツ表示データが受信されない場合には、当該電子下敷ＩＤとペーパＩＤとの組み合わせに対応付けられて登録されているコンテンツ表示データを読み出し、前記電子下敷１２Ａ（１２Ｂ）に装着された電子ペーパ１１Ａ（１１Ｂ）に再表示させるべく送信する。
【０１２９】
このため、電子下敷１２Ａ（１２Ｂ）に装着される各電子ペーパ１１Ａ（１１Ｂ）…毎に当該電子ペーパ１１Ａ（１１Ｂ）に表示させたコンテンツ表示データを登録して管理することができ、ユーザは電子下敷１２Ａ（１２Ｂ）に電子ペーパ１１Ａ（１１Ｂ）を載せるだけで、当該下敷１２Ａ（１２Ｂ）とペーパ１１Ａ（１１Ｂ）との組み合わせに応じたコンテンツ表示データを直ちに再表示できる。
【０１３０】
図１４は、前記電子ペーパ管理サーバ５３により管理される電子ペーパ記録装置１０Ａ，１０Ｂの具体的な使用形態を説明する図である。
【０１３１】
前述した通り、この電子ペーパ記録装置１０Ａ，１０Ｂでは、電子下敷１２Ａ（１２Ｂ）に装着される電子ペーパ１１Ａ（１１Ｂ）毎に、当該下敷ＩＤとペーパＩＤとに対応付けて各電子ペーパ１１Ａ（１１Ｂ）…に表示されたコンテンツ表示データを登録して管理しているので、図１４（Ａ）に示すように、１ユーザＡが１つの電子下敷１２Ａ（１２Ｂ）において複数枚の電子ペーパ１１Ａ（１１Ｂ）…を使い分けて使用する場合は勿論、図１４（Ｂ）に示すように、１ユーザＡが１枚の電子ペーパ１１Ａ（１１Ｂ）を複数の場所にある各電子下敷１２Ａ（１２Ｂ）…で使い分けて使用する場合でも、当該電子ペーパ１１Ａ（１１Ｂ）を電子下敷１２Ａ（１２Ｂ）に載せるだけで、その電子ペーパ１１Ａ（１１Ｂ）に前回表示させていたコンテンツ表示データを直ちに再表示させることができる。
【０１３２】
さらに、前記電子下敷ＩＤと電子ペーパＩＤとに対応付け登録したコンテンツ表示データは、ユーザＩＤとも対応付けて登録管理するので、図１４（Ｃ）に示すように、複数のユーザＡ，Ｂ，…が１つの電子下敷１２Ａ（１２Ｂ）と電子ペーパ１１Ａ（１１Ｂ）を交代で使用する場合でも、各ユーザＡ，Ｂ，…がそのユーザＩＤを入力するだけで、当該ユーザが電子ペーパ１１Ａ（１１Ｂ）に前回表示させていたコンテンツ表示データを直ちに再表示させることができる。
【０１３３】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１３４】
以下に、本願出願の当初の特許請求の範囲に記載された発明を付記する。
【０１３５】
［１］
電子ペーパが着脱自在に装着される電子下敷装置であって、
電子ペーパが装着されたことを検出するペーパ検出手段と、
このペーパ検出手段により検出されている電子ペーパに任意のコンテンツの表示データが表示されている状態で、本電子下敷装置の下敷ＩＤと電子ペーパのペーパＩＤと当該コンテンツ表示データとを対応付けて外部接続されるサーバ装置へ送信して登録させる表示データ登録手段と、
前記ペーパ検出手段により電子ペーパが新たに装着されたことが検出された際に、本電子下敷装置の下敷ＩＤと当該電子ペーパのペーパＩＤとに対応付けられたコンテンツ表示データが前記サーバ装置に登録されているか否かを判断するデータ登録判断手段と、
このデータ登録判断手段により本電子下敷装置の下敷ＩＤと前記装着された電子ペーパのペーパＩＤとに対応付けられたコンテンツ表示データが前記サーバ装置に登録されていると判断された場合に、当該サーバ装置から送信されたコンテンツ表示データを受信する登録データ受信手段と、
この登録データ受信手段により受信されたコンテンツ表示データを前記新たに装着された電子ペーパに表示させる登録データ表示制御手段と、
を備えたことを特徴とする電子下敷装置。
【０１３６】
［２］
前記表示データ登録手段により本電子下敷装置の下敷ＩＤと電子ペーパのペーパＩＤとコンテンツ表示データとを対応付けて外部接続されるサーバ装置へ送信して登録させるのに伴い、当該電子ペーパのペーパＩＤを記憶するペーパＩＤ記憶手段を備え、
前記データ登録判断手段は、前記ペーパ検出手段により電子ペーパが新たに装着されたことが検出された際に、前記ペーパＩＤ記憶手段により前記電子ペーパのペーパＩＤが記憶されているか否かを判断して、本電子下敷装置の下敷ＩＤと当該電子ペーパのペーパＩＤとに対応付けられたコンテンツ表示データが前記サーバ装置に登録されているか否かを判断し、
前記表示データ登録手段は、前記ペーパＩＤ記憶手段により前記新たに装着された電子ペーパのペーパＩＤが記憶されていないと判断された場合に、本電子下敷装置の下敷ＩＤと前記電子ペーパのペーパＩＤと当該電子ペーパに表示中のコンテンツ表示データとを対応付けて外部接続されるサーバ装置へ送信して登録させ、
前記登録データ受信手段は、前記ペーパＩＤ記憶手段により前記新たに装着された電子ペーパのペーパＩＤが記憶されていると判断された場合に、本電子下敷の下敷ＩＤと当該電子ペーパのペーパＩＤとを対応付けて外部接続されるサーバ装置へ送信するＩＤ送信手段を有し、このＩＤ送信手段による下敷ＩＤとペーパＩＤとを対応付けたサーバ装置への送信に応答して、当該サーバ装置から送信されたコンテンツ表示データを受信する、
ことを特徴とする［１］に記載の電子下敷装置。
【０１３７】
［３］
外部装置から任意のコンテンツの表示データを取得する表示データ取得手段と、
この表示データ取得手段により取得された任意のコンテンツの表示データを前記装着された電子ペーパに表示させる任意データ表示制御手段と、
を備えたことを特徴とする［１］または［２］に記載の電子下敷装置。
【０１３８】
［４］
前記外部装置は、ネットワークを介して各種のコンテンツを受信可能な通信端末装置であって、
前記表示データ取得手段は、前記通信端末装置によりネットワークを介して受信した任意のコンテンツの表示データを当該通信端末装置との通信接続により取得する、
ことを特徴とする［３］に記載の電子下敷装置。
【０１３９】
［５］
前記外部装置は、ネットワーク上に存在するコンテンツサーバ装置であって、
前記表示データ取得手段は、前記ネットワーク上のコンテンツサーバ装置との直接の通信接続により任意のコンテンツの表示データを取得する、
ことを特徴とする［３］に記載の電子下敷装置。
【０１４０】
［６］
前記ペーパ検出手段により検出された電子ペーパにコンテンツの表示がされているか否かを判断するペーパ表示判断手段を備え、
前記データ登録判断手段は、前記ペーパ検出手段により電子ペーパが新たに装着されたことが検出された際、前記ペーパ表示判断手段により当該電子ペーパにコンテンツの表示がされていないと判断された場合に、本電子下敷装置の下敷ＩＤと当該電子ペーパのペーパＩＤとに対応付けられたコンテンツ表示データが前記サーバ装置に登録されているか否かを判断する、
ことを特徴とする［１］に記載の電子下敷装置。
【０１４１】
［７］
前記表示データ登録手段は、前記ペーパ検出手段により検出されている電子ペーパに異なるコンテンツの表示データが表示される毎に、本電子下敷装置の下敷ＩＤと電子ペーパのペーパＩＤと当該コンテンツ表示データとを対応付けて外部接続されるサーバ装置へ送信して登録させ、
前記登録データ表示制御手段は、前記登録データ受信手段により複数のコンテンツ表示データが受信された場合に、ユーザ操作に応じて選択されたコンテンツ表示データを前記新たに装着された電子ペーパに表示させる、
ことを特徴とする［１］に記載の電子下敷装置。
【０１４２】
［８］
前記ペーパ検出手段により検出されている電子ペーパ上でのユーザ操作に応じた操作位置を検出する操作位置検出手段と、
この操作位置検出手段により検出されたユーザ操作位置に応じたデータを追記データとして前記電子ペーパの該当する位置に重畳して表示させる追記重畳表示制御手段と、
を備えたことを特徴とする［１］に記載の電子下敷装置。
【０１４３】
［９］
前記追記重畳表示制御手段により前記電子ペーパに重畳して表示された追記データを当該電子ペーパのペーパＩＤと対応付けて記憶する追記データ記憶手段と、
前記登録データ表示制御手段により前記登録データ受信手段により受信されたコンテンツ表示データが前記新たに装着された電子ペーパに表示された際に、前記追記データ記憶手段により当該電子ペーパのペーパＩＤに対応付けられた追記データが記憶されているか否かを判断する追記有無判断手段と、
この追記有無判断手段により前記電子ペーパのペーパＩＤに対応付けられた追記データが記憶されていると判断された場合に、当該追記データを読み出し前記コンテンツ表示データが表示された電子ペーパに重畳して再表示させる追記重畳再表示制御手段と、
を備えたことを特徴とする［８］に記載の電子下敷装置。
【０１４４】
［１０］
前記追記データ記憶手段は、前記追記重畳表示制御手段により前記電子ペーパに重畳して表示された追記データを当該電子ペーパに表示されているコンテンツ表示データのコンテンツＩＤとペーパＩＤとに対応付けて記憶し、
前記追記有無判断手段は、前記登録データ表示制御手段により前記登録データ受信手段により受信されたコンテンツ表示データが前記新たに装着された電子ペーパに表示された際に、前記追記データ記憶手段により当該電子ペーパに表示されたコンテンツ表示データのコンテンツＩＤとペーパＩＤとに対応付けられた追記データが記憶されているか否かを判断し、
前記追記重畳再表示制御手段は、前記追記有無判断手段により前記電子ペーパに表示されたコンテンツ表示データのコンテンツＩＤとペーパＩＤとに対応付けられた追記データが記憶されていると判断された場合に、当該追記データを読み出しそのコンテンツＩＤに対応したコンテンツ表示データが表示されている電子ペーパに重畳して再表示させる、
ことを特徴とする［９］に記載の電子下敷装置。
【０１４５】
［１１］
ユーザ操作に応じてユーザＩＤを入力するユーザＩＤ入力手段を備え、
前記表示データ登録手段は、前記ペーパ検出手段により検出されている電子ペーパに任意のコンテンツの表示データが表示されている状態で、前記ユーザＩＤ入力手段により入力されたユーザＩＤと本電子下敷装置の下敷ＩＤと電子ペーパのペーパＩＤと当該コンテンツ表示データとを対応付けて外部接続されるサーバ装置へ送信して登録させ、
前記データ登録判断手段は、前記ペーパ検出手段により電子ペーパが新たに装着されたことが検出された際に、前記ユーザＩＤ入力手段により入力されたユーザＩＤと本電子下敷装置の下敷ＩＤと当該電子ペーパのペーパＩＤとに対応付けられたコンテンツ表示データが前記サーバ装置に登録されているか否かを判断し、
前記登録データ受信手段は、前記データ登録判断手段により前記ユーザＩＤと本電子下敷装置の下敷ＩＤと前記装着された電子ペーパのペーパＩＤとに対応付けられたコンテンツ表示データが前記サーバ装置に登録されていると判断された場合に、当該サーバ装置から送信されたコンテンツ表示データを受信する、
ことを特徴とする［１］に記載の電子下敷装置。
【０１４６】
［１２］
電子下敷装置に着脱自在に装着される電子ペーパの表示情報を管理するデータ管理装置であって、
前記電子下敷装置の下敷ＩＤと前記電子ペーパのペーパＩＤと当該電子ペーパに表示されたコンテンツ表示データとを対応付けて登録する表示情報登録手段と、
前記電子下敷装置から送信された当該電子下敷装置の下敷ＩＤと電子ペーパのペーパＩＤとを受信するデータ受信手段と、
このデータ受信手段により受信された電子下敷装置の下敷ＩＤと電子ペーパのペーパＩＤとの組み合わせが前記表示情報登録手段に登録されていない場合には、当該下敷ＩＤとペーパＩＤとの組み合わせに対応付けて前記電子下敷装置から共に受信されたコンテンツ表示データを前記表示情報登録手段に新規登録する新規登録手段と、
前記データ受信手段により受信された電子下敷装置の下敷ＩＤと電子ペーパのペーパＩＤとの組み合わせが前記表示情報登録手段に登録されている場合であって、当該下敷ＩＤとペーパＩＤとの組み合わせに対応付けられて登録済みのコンテンツ表示データが前記電子下敷装置から共に受信されたコンテンツ表示データと異なる場合には、当該登録済みのコンテンツ表示データを前記受信されたコンテンツ表示データに更新して登録する更新登録手段と、
前記データ受信手段により受信された電子下敷装置の下敷ＩＤと電子ペーパのペーパＩＤとの組み合わせが前記表示情報登録手段に登録されている場合であって、当該下敷ＩＤとペーパＩＤとに対応付けたコンテンツ表示データが受信されない場合には、当該下敷ＩＤとペーパＩＤとに対応付けられて登録されているコンテンツ表示データを読み出し前記電子下敷装置に装着された電子ペーパに再表示させるデータとして送信するデータ送信手段と、
を備えたことを特徴とするデータ管理装置。
【符号の説明】
【０１４７】
１０Ａ…電子ペーパ記録装置（片面タイプ）
１０Ｂ…電子ペーパ記録装置（両面タイプ）
１１Ａ…電子ペーパ（片面タイプ）
１１Ｂ…電子ペーパ（両面タイプ）
１２Ａ…電子下敷（片面タイプ）
１２Ｂ…電子下敷（見開きタイプ）
５３  …電子ペーパ管理サーバ
５３Ｗ…情報提供サーバ
５４  電子ペーパ管理テーブル（下敷）
５６  …サーバ制御装置
５７  …サーバ入力装置
５８  …サーバ記憶装置
５８ａ…情報管理部
５８ｂ…電子ペーパ管理部
５９  …サーバ表示装置
６０  …通信装置
６１  …通信端末装置
６２  …電子ペーパ管理テーブル（サーバ）
【図１】
2014035630.tif 000003
【図２】
2014035630.tif 000004
【図３】
2014035630.tif 000005
【図４】
2014035630.tif 000006
【図５】
2014035630.tif 000007
【図６】
2014035630.tif 000008
【図７】
2014035630.tif 000009
【図８】
2014035630.tif 000010
【図９】
2014035630.tif 000011
【図１０】
2014035630.tif 000012
【図１１】
2014035630.tif 000013
【図１２】
2014035630.tif 000014
【図１３】
2014035630.tif 000015
【図１４】
2014035630.tif 000016